(57)【要約】【課題】本発明は、必要最小限のチップでの生体試料の分析を可能し、かつ、複数のチップを容易に設置できるチップカートリッジを提供することを目的とする。【解決手段】本発明は、各々生体試料の反応流路を有する複数のチップを着脱可能に設置するチップカートリッジ１０であって、チップカートリッジ１０は、平板状の基部１１と、基部１１上に設けられ、チップを保持する凹部１２と、凹部１２上に形成され、チップの着脱を容易にするための孔１３と、凹部１２で保持されたチップを基部１１に固定するスライド部１４と、基部１１の中央部分に設けられ、スライド部１４を支持する支持部１５とを備える。スライド部１４は、チップカートリッジの外周側へ外力が加えられると、支持部１５からチップカートリッジ１０の外周方向へスライドする。【選択図】図１
2008209185.tif 000002
【特許請求の範囲】
【請求項１】
各々試料の流路を有する複数のチップを着脱可能に設置するチップカートリッジにおいて、
平板状の基部上に設けられ、前記チップを保持する凹部と、
前記凹部に保持されたチップを前記基部に固定するスライド部と、
前記基部の中央部分に設けられ、前記スライド部を支持する支持部とを備え、
前記スライド部は、前記チップカートリッジの外周方向へ外力が加えられると、前記支持部から前記チップカートリッジの外周方向へスライドする、
ことを特徴とするチップカートリッジ。
【請求項２】
請求項１に記載のチップカートリッジにおいて、
前記チップには、電極膜がパターニングされている、
ことを特徴とするチップカートリッジ。
【請求項３】
各々試料の流路を有し、かつ、電極膜がパターニングされた複数のチップを着脱可能に設置するチップカートリッジにおいて、
平板状の基部上に設けられ、前記チップを保持する凹部と、
前記凹部に保持されたチップを前記基部に固定するスライド部と、
前記基部の中央部分に設けられ、前記スライド部を支持する支持部と、
前記スライド部の表面に形成される、導電材料からなる導電部とを備え、
前記スライド部は、前記チップカートリッジの外周方向へ外力が加えられると、前記支持部から前記チップカートリッジの外周方向へスライドする、
ことを特徴とするチップカートリッジ。
【請求項４】
各々試料の流路を有し、かつ、電極膜がパターニングされた複数のチップを着脱可能に設置するチップカートリッジを設置するトレイと、
前記トレイに設置されたチップカートリッジを回転させる回転部と、
前記チップ上の試料を分析する分析部とを備える分析装置において、
前記チップカートリッジは、
平板状の基部上に設けられ、前記チップを保持する凹部と、
前記凹部に保持されたチップを前記基部に固定するスライド部と、
前記基部の中央部分に設けられ、前記スライド部を支持する支持部とを備え、
前記スライド部は、前記チップカートリッジの外周方向へ外力が加えられると、前記支持部から前記チップカートリッジの外周方向へスライドし、
前記分析部は、
前記チップの電極膜に電気的に接続する接続端子と、
前記チップ上で前記試料と前記電極膜が接触することで生じる電気信号を、前記接続端子を介して入力して検出する検出部とを備える、
ことを特徴とする分析装置。
【請求項５】
各々試料の流路を有し、かつ、電極膜がパターニングされた複数のチップを着脱可能に設置するチップカートリッジを設置するトレイと、
前記トレイに設置されたチップカートリッジを回転させる回転部と、
前記チップ上の試料を分析する分析部とを備える分析装置において、
前記チップカートリッジは、
平板状の基部上に設けられ、前記チップを保持する凹部と、
前記凹部に保持されたチップを前記基部に固定するスライド部と、
前記基部の中央部分に設けられ、前記スライド部を支持する支持部と、
前記スライド部の表面に形成される、導電材料からなる導電部とを備え、
前記スライド部は、前記チップカートリッジの外周方向へ外力が加えられると、前記支持部から前記チップカートリッジの外周方向へスライドし、
前記導電部は、前記スライド部が前記支持部から前記チップカートリッジの外周方向へスライドさせられたときに、前記電極膜と接触し、
前記分析部は、
前記チップカートリッジの導電部に電気的に接続する接続端子と、
前記チップ上で前記試料と前記電極膜が接触することで生じる電気信号を、前記導電部及び前記接続端子を介して入力して検出する検出部とを備える、
ことを特徴とする分析装置。
【発明の詳細な説明】
【技術分野】
【０００１】
本発明は、血液などの生体試料を分析するための医療用検査器具、及び装置に関し、特に、生体試料の反応流路が形成されたチップを固定するチップカートリッジと、前記チップカートリッジを回転させて試料を移送し、試料の成分を分析する分析装置に関するものである。
【背景技術】
【０００２】
近年、半導体の微細加工技術や、光学手法や電気化学手法を用いた試料の検出技術の進歩によって、血液等の生体試料の分析を微少空間で行なうことが可能になった。
【０００３】
例えば、キャピラリー電気泳動もその一つである。キャピラリー電気泳動とは、任意の試料を電荷量や分子量別に分離する技術であり、この技術では、従来、内径１００ミクロン程度、長さ数十センチのガラス管が利用されてきた。
【０００４】
キャピラリー電気泳動の動作についてＤＮＡの分離を例に説明すると、まずｐＨ緩衝液とポリマー等をキャピラリー管内全体に充填し、次に一端からＤＮＡを数十ナノリットル充填する。その後両端に電圧を印加すると、ＤＮＡは負の電荷を有しているので正極側へ移動しようとする。ポリマー内での移動度は電荷量、分子量、及び形状によって異なるので、結果として塩基長別にＤＮＡを分離することができる。
【０００５】
しかし、近年、このようなキャピラリー電気泳動を、極細溝などの微小空間を形成したプレート、いわゆるマイクロ化学チップ上で実現できるようになった。最近では、いままでビーカーのような器具を利用していたバッチ実験もマイクロ化学チップ上の微小空間で行うことができるようになった。
【０００６】
さらに、マイクロ化学チップを血液の成分分析に利用することもできる。例えば、マイクロ化学チップ上に微小空間である反応流路を形成し、この反応流路に血液と各種試薬とを注入して、反応させた後、反応状態を、光学センサーで測定、または電気化学的に測定することで、血液の成分分析を行なう。
【０００７】
また、生体試料の分析に使用するマイクロ化学チップとして、チップ内に複数の反応流路を設けて、１チップで複数の生体試料の分析を可能にするものも提案されている。
【０００８】
さらに、血液などの生体試料の分析に使用するマイクロ化学チップとして、複数種の生体試料の分析を可能にするディスクも提案されている（特許文献１）。この分析ディスクは、ディスク本体へ着脱可能な複数の試験片によって複数の試験領域が構成される。各試験片は樹脂で形成され、弾性変形させて、分析ディスクへ押し込むことで、分析ディスクへ取り付けることができる。各試験片には反応流路が設けられていて、この反応流路に生体試料と試薬とを注入後、分析ディスクを回転させて生体試料と試薬を反応させ、反応状態を光学センサーで読み取ることで、生体試料を分析することができる。
【０００９】
以上のように、マイクロ化学チップを用いれば、反応流路にて迅速に試料と試薬を反応させることでき、また、分析に使用する試料を少量に抑えることができる。さらに、温度等の反応条件を容易に制御することもできる。
【特許文献１】特開２００３−１８５６７１号公報
【発明の開示】
【発明が解決しようとする課題】
【００１０】
近年、上述のように、血液などの生体試料の分析において、マイクロ化学チップが汎用的に利用されるようになってきた。しかし、測定に使用される試料の多様化に伴い、チップ内の反応流路の多様化も求められており、この反応流路の多様化に伴い、チップに応じて分析に使用できる分析装置が限定されるという問題が生じる。
【００１１】
また、マイクロ化学チップを用いて感染症が危惧される生体試料を分析する場合、分析後の廃棄に関して、以下の課題が生じる。すなわち、感染症が危惧される生体試料を分析する場合、分析後のチップは廃棄されることが望ましい。たとえ、複数の検体を分析できるチップにおいて、１検体のみの分析しか実施されなかった場合でも、分析後のチップは廃棄されるのが望ましい。これは、放置しておくことで、感染症の広がりが危惧されるからである。例えば、４つの反応流路を有し、１個あたり４検体の分析が可能なチップを使用して１検体のみの分析しか実施されなかったとしても、分析後、そのチップは廃棄されることが望ましい。しかし、この場合、残りの３検体分の反応流路を無駄にしてしまうことになる。
【００１２】
また、特許文献１に記載のディスクは、着脱可能な複数の試験片を備えることで、上記課題を解決できるが、着脱の際に、樹脂で形成される試験片を弾性変形させることから、試験片が変形または破損しやすくなる。さらに、電気化学反応を利用して試料を分析する場合には試験片に電極膜を形成するため、試験片を弾性変形させるときに、試験片内に設けられた電極用薄膜も破損する可能性がある。
【００１３】
よって、本発明は、必要最小限のチップでの試料の分析を可能し、かつ、複数のチップを容易に固定できるチップカートリッジ、及びそのチップカートリッジに設置されたチップ上の試料を分析する分析装置を提供することを目的とする。
【課題を解決するための手段】
【００１４】
本発明は、各々試料の流路を有する複数のチップを着脱可能に設置するチップカートリッジであって、平板状の基部上に設けられ、前記チップを保持する凹部と、前記凹部に保持されたチップを前記基部に固定するスライド部と、前記基部の中央部分に設けられ、前記スライド部を支持する支持部とを備え、前記スライド部は、前記チップカートリッジの外周方向へ外力が加えられると、前記支持部から前記チップカートリッジの外周方向へスライドすることを特徴とする。
【００１５】
また、本発明は、前記チップカートリッジにおいて、前記チップには、電極膜がパターニングされていることを特徴とする。
【００１６】
また、本発明は、各々試料の流路を有し、かつ、電極膜がパターニングされた複数のチップを着脱可能に設置するチップカートリッジであって、平板状の基部上に設けられる、前記チップを保持する凹部と、前記凹部に保持されたチップを前記基部に固定するスライド部と、前記基部の中央部分に設けられ、前記スライド部を支持する支持部と、前記スライド部の表面に形成される、導電材料からなる導電部とを備え、前記スライド部が、前記チップカートリッジの外周方向へ外力が加えられると、前記支持部から前記チップカートリッジの外周方向へスライドすることを特徴とする。
【００１７】
また、本発明は、各々試料の流路を有し、かつ、電極膜がパターニングされた複数のチップを着脱可能に設置するチップカートリッジを設置するトレイと、前記トレイに設置されたチップカートリッジを回転させる回転部と、前記チップ上の試料を分析する分析部とを備える分析装置であって、前記チップカートリッジは、平板状の基部上に設けられ、前記チップを保持する凹部と、前記凹部に保持されたチップを前記基部に固定するスライド部と、前記基部の中央部分に設けられ、前記スライド部を支持する支持部とを備え、前記スライド部は、前記チップカートリッジの外周方向へ外力が加えられると、前記支持部から前記チップカートリッジの外周方向へスライドし、前記分析部は、前記チップの電極膜に電気的に接続する接続端子と、前記チップ上で前記試料と前記電極膜が接触することで生じる電気信号を、前記接続端子を介して入力して検出する検出部とを備えることを特徴とする。
【００１８】
また、本発明は、各々試料の流路を有し、かつ、電極膜がパターニングされた複数のチップを着脱可能に設置するチップカートリッジを設置するトレイと、前記トレイに設置されたチップカートリッジを回転させる回転部と、前記チップ上の試料を分析する分析部とを備える分析装置であって、前記チップカートリッジは、平板状の基部上に設けられ、前記チップを保持する凹部と、前記凹部に保持されたチップを前記基部に固定するスライド部と、前記基部の中央部分に設けられ、前記スライド部を支持する支持部と、前記スライド部の表面に形成される、導電材料からなる導電部とを備え、前記スライド部は、前記チップカートリッジの外周方向へ外力が加えられると、前記支持部から前記チップカートリッジの外周方向へスライドし、前記導電部が、前記スライド部が前記支持部から前記チップカートリッジの外周方向へのスライドさせられたときに、前記電極膜と接触し、前記分析部は、前記チップカートリッジの導電部に電気的に接続する接続端子と、前記チップ上で前記試料と前記電極膜が接触することで生じる電気信号を、前記導電部及び前記接続端子を介して入力して検出する検出部とを備えることを特徴とする。
【発明の効果】
【００１９】
本発明は、各々試料の流路を有する複数のチップを着脱可能に設置するチップカートリッジであって、平板状の基部上に設けられ、前記チップを保持する凹部と、前記凹部に保持されたチップを前記基部に固定するスライド部と、前記基部の中央部分に設けられ、前記スライド部を支持する支持部とを備え、前記スライド部は、前記チップカートリッジの外周方向へ外力が加えられると、前記支持部から前記チップカートリッジの外周方向へスライドして、前記チップを固定することから、必要な種類のチップを必要な数だけ容易に設置することができる。よって、試料を分析する際に使用するチップを必要最小限に抑えて、無駄な廃棄物を極力抑えることができる。
【００２０】
また、本発明は、各々試料の流路を有する複数のチップを着脱可能に設置するチップカートリッジであって、平板状の基部上に設けられ、前記チップを保持する凹部と、前記凹部に保持されたチップを前記基部に固定するスライド部と、前記基部の中央部分に設けられ、前記スライド部を支持する支持部と、前記スライド部の表面に形成される、導電材料からなる導電部とを備えることから、前記導電部が、前記チップ上の試料を分析する分析装置の接続端子と前記チップの電極膜との接続を中継して、分析装置の接続端子とチップの電極膜との接続をより確実することができる。その結果、分析装置による生体試料の分析の精度を向上させることができる。
【００２１】
また、本発明のチップカートリッジによれば、前記スライド部は前記チップカートリッジの中心から外周側へスライドすることから、試料分析のためにチップカードリッジを回転させて、チップ内の試料を遠心分離または移送するとき、遠心力でチップが外れることが無い。さらに、スライド部にも遠心力がかかるため、スライド部によるチップの固定が不十分な状態であっても、スライド部が回転によって外周方向へスライドするので、分析中にチップを確実に固定することができる。
【発明を実施するための最良の形態】
【００２２】
（実施の形態１）
以下、本実施の形態１に係るチップカートリッジ、及びそのチップカートリッジに設置されたチップ上の試料を分析する分析装置について説明する。
【００２３】
図１は本実施の形態１に係るチップカートリッジ１０の斜視図である。
チップカートリッジ１０は、平板状の基部１１と、基部１１上に設けられ、チップを保持する凹部１２と、凹部１２上に形成され、チップの着脱を容易にするための孔１３と、凹部１２に保持されたチップを基部１１に固定するスライド部１４と、基部１１の中央部分に設けられ、スライド部１４を支持する支持部１５とを備える。スライド部１４は、チップカートリッジ１０の外周側へ外力が加えられると、支持部１５からチップカートリッジの外周方向へスライドする。
【００２４】
また、チップカートリッジ１０は、分析装置内の光センサーからの光を反射する反射板１６を備える。分析装置は、反射板１６からの反射光によってチップカートリッジの位置を特定する。
【００２５】
図２、図３は本実施の形態１に係るチップカートリッジに設置されたチップ上の試料を分析する分析装置の斜視図である。
【００２６】
分析装置２０は、分析装置２０の温度を調整する温度調整部２１と、チップ上の試料を分析する分析部２２と、チップを装置内部へ導くトレイ２３と、分析装置２０の基本的な動作設定及び動作タイミングを制御する外部装置との通信を行う通信部２４と、電源スイッチ２５と、チップカートリッジ１０を回転させる回転部２６とを備える。さらに、分析装置２０は、分析装置２０内の各機器を制御する制御部２７と、分析装置２０内の全ての機器に電源を供給する電源部２８とを備える。
【００２７】
以下、チップカートリッジ１０に設置されたチップ上の試料を分析装置２０にて分析する方法について図４〜図６を用いて説明する。
【００２８】
図４はチップ挿入前のチップカートリッジ１０の断面図で、図５はチップ挿入直後のチップカートリッジ１０の断面図で、図６はチップ挿入後、チップをスライド部１４により固定したときのチップカートリッジ１０の断面図である。
【００２９】
まず、チップカートリッジ１０の凹部１２にチップ５１を保持させる。チップ５１をチップカートリッジ１０に保持させるときには、チップ５１を挿入できるように、支持部１５内にスライド部１４を収納しておく。支持部１５は、スライド部１４と摩擦接触することで、スライド部１４を支持する。
【００３０】
チップ５１は、血液などの生体試料の反応流路であるマイクロ流路を有する。また、チップ上で試料を電気化学反応させて、試料を分析する場合は、チップ５１の中間層に予め電極膜をパターニングしておく。そして、この電極膜の一部を分析装置２０の分析部２２の接続端子と接続可能なように露出させておく。
【００３１】
次に、スライド部１４にチップカートリッジ１０の外周方向へ外力を加えて、スライド部１４をチップカートリッジ１０の中心Ｐから外周方向Ｘへとスライドさせる。ここで外周方向Ｘとは、中心Ｐに対して完全な放射方向のみでなく外周側へスライドする方向であれば、放射方向に対して斜めであってもよい。以上の操作でチップ５１をチップカートリッジ１０に設置する。
【００３２】
次に、チップ５１が設置されたチップカートリッジ１０を分析装置２０のトレイ２３上に置く。
【００３３】
以下、分析装置２０による生体試料の分析方法について説明する。
分析装置２０は、トレイ２３をスライドさせて、分析装置２０内部へチップカートリッジ１０を導入する。次に、チップカートリッジ１０の中心Ｐを軸として、回転部２６によってチップカートリッジ１０を回転させ、チップ５１の反応流路に注入された生体試料の遠心分離及び移送を行なう。これにより、生体試料がチップ５１の電極膜へ移送され、生体試料とチップ５１の電極膜とが接触して電気化学反応を起こす。次に、前記電気化学反応によって生じる電気信号を分析部２２で検出して、生体試料の成分分析を行なう。ここでは、チップ５１の電極膜の露出部に分析装置２０の分析部２２から伸びた針状の接続端子が接続することで、分析部２２による電気信号の検出が可能になる。分析部２２は、例えば、接続端子を介して電極膜に電圧を印加し、そのときの電流量を信号検出部で検出して、電流量から生体試料中の特定成分の量を求める。
【００３４】
以上のように、本実施の形態１に係るチップカートリッジによれば、平板状の基部１１と、基部１１上に設けられ、チップを保持する凹部１２と、凹部１２上に形成され、チップの着脱を容易にするための孔１３と、凹部１２に保持されたチップを基部１１に固定するスライド部１４と、基部１１の中央部分に設けられ、スライド部１４を支持する支持部１５とを備え、スライド部１４にチップカートリッジの外周方向へ外力が加えられることで、スライド部１４がスライドして、チップを固定することから、必要な種類のチップを必要な数だけ容易に設置することができる。よって、試料を分析する際に使用するチップを必要最小限に抑えて、無駄な廃棄物を極力抑えることができる。
【００３５】
また、本実施の形態１に係るチップカートリッジによれば、チップカートリッジ１０の中心Ｐから外周側へスライド部１４をスライドさせることによってチップを固定する構造であることから、試料分析のためにチップカードリッジ１０を回転させて、チップ内の試料を遠心分離または移送するとき、遠心力でチップが外れることが無い。さらに、スライド部１４にも遠心力がかかるため、スライド部１４によるチップの固定が不十分な状態であっても、スライド部１４が回転によって外周方向Ｘへスライドするので、分析中にチップを確実に固定することができる。
【００３６】
なお、本実施の形態１では、チップの電極膜と生体試料との電気化学反応によって得られる電気信号を検出することによって、生体試料を分析する場合について説明したが、本発明はこれに限るものではなく、生体試料を光学的に分析することでも良い。生体試料を光学的に分析する方法として、例えば、分析装置２０の分析部２２に光学センサーを搭載し、チップ上で生体試料と発色試薬を反応させて、反応状態を光学センサーによって測定する方法が挙げられる。
【００３７】
（実施の形態２）
本実施の形態２に係るチップカートリッジについて図７〜図１０を用いて説明する。
図７は本実施の形態２に係るチップカートリッジ７０の斜視図である。図８はチップカートリッジ７０に挿入されるチップの断面図である。図９はチップカートリッジ７０の断面図で、図１０は、チップをスライド部により固定したときのチップカートリッジ７０の断面図である。
【００３８】
図７において、チップカートリッジ７０は、平板状の基部７１と、基部７１上に設けられ、チップを保持する凹部７２と、凹部７２上に形成され、チップの着脱を容易にするための孔７３と、凹部７２で保持されたチップを基部７１に固定するスライド部７４と、基部７１の中央部分に設けられ、スライド部７４を支持する支持部７５とを備える。スライド部７４は、チップカートリッジ７０の外周側へ外力が加えられると、支持部７５からチップカートリッジの外周方向へスライドする。
【００３９】
また、チップカートリッジ７０は、分析装置内の光センサーからの光を反射する反射板７６を備える。分析装置は、反射板７６からの反射光によってチップカートリッジの位置を特定する。
【００４０】
チップカートリッジ７０に挿入されるチップ８１は、血液などの生体試料の反応流路であるマイクロ流路を有する。また、中間層に電極膜８２がパターニングされて、電極膜８２の一部は分析装置２０の分析部２２の接続端子１０１と接続可能なように露出している。
【００４１】
スライド部７４は、図９に示すように、その表面に導電材料にて形成された中継端子９１を備える。また、図１０に示すように、中継端子９１は電極膜８２の露出している部分と接触する。
【００４２】
以下、チップカートリッジ７０に設置されたチップ上の試料を分析装置２０にて分析する方法について説明する。
【００４３】
まず、チップカートリッジ７０の凹部７２にチップ８１を保持させる。チップ８１をチップカートリッジ７０に保持させるときには、チップ８１を挿入できるように、スライド部７４を支持部７５内に収納しておく。支持部７５は、スライド部７４と摩擦接触することで、スライド部７４を支持する。
【００４４】
次に、スライド部７４に、チップカートリッジ７０の外周方向へ外力を加えて、スライド部７４をチップカートリッジ７０の中心Ｐから外周方向Ｘへとスライドさせる。図１０に示すように、スライド部７４をスライドさせてチップ８１を固定するのと同時に、チップ８１の電極膜８２の露出した部分が、スライド部７４の表面に形成された中継端子９１と接続する。
【００４５】
次に、チップ８１が設置されたチップカートリッジ７０を分析装置２０のトレイ２３上に置く。
【００４６】
以下、分析装置２０による生体試料の分析方法について説明する。
分析装置２０は、トレイ２３をスライドさせて、分析装置２０内部へチップカートリッジ７０を導入する。次に、チップカートリッジ７０の中心Ｐを軸として、回転部２６によってチップカートリッジ７０を回転させ、生体試料の移送を行なう。これにより、生体試料がチップ８１の電極膜へ移送され、生体試料とチップ８１の電極膜とが接触して電気化学反応を起こす。次に、前記電気化学反応によって生じた電気信号を分析部２２で検出して、生体試料の成分分析を行なう。上記実施の形態１では、分析装置２０の分析部２２の接続端子がチップ５１に設けられた電極膜と直接接続される構成であったが、本実施の形態２では、分析装置２０の分析部２２の接続端子１０１が、チップカートリッジ７０のスライド部７４の表面に設けられた中継端子９１を介してチップ８１の電極膜８２に接続される構成となっている。分析部２２は、例えば、接続端子１０１を介して電極膜８２に電圧を印加し、そのときの電流量を信号検出部で検出して、電流量から生体試料中の特定成分の量を求める。
【００４７】
以上のように、本実施の形態２に係るチップカートリッジによれば、平板状の基部７１と、基部７１上に設けられ、チップを保持する凹部７２と、凹部７２上に形成され、チップの着脱を容易にするための孔７３と、凹部７２に保持されたチップを基部７１に固定するスライド部７４と、基部７１の中央部分に設けられ、スライド部７４を支持する支持部７５とを備え、スライド部７４にチップカートリッジの外周方向へ外力が加えられることで、スライド部７４がスライドして、必要な種類のチップを必要な数だけ容易に設置することができる。よって、試料を分析する際に使用するチップを必要最小限に抑えて、無駄な廃棄物を極力抑えることができる。
【００４８】
さらに、本実施の形態２に係るチップカートリッジによれば、チップ８１を固定するスライド部７４の表面に導電材料からなる中継端子９１を形成し、スライド部７４によってチップ８１を固定したときに、中継端子９１を介して、分析装置２０の分析部２２の接続端子１０１がチップ８１の電極膜８２と接続する構成であることから、分析部２２の接続端子１０１と電極膜８２との接続をより確実することができる。その結果、分析装置による試料の成分分析の精度を向上させることができる。
【産業上の利用可能性】
【００４９】
本発明に係るチップカートリッジ及び該チップカートリッジに固定されたチップ上の試料を分析する分析装置は、血液等の生体試料の分析を、安価で、且つ簡便に行えるようにするものとして有用である。
【図面の簡単な説明】
【００５０】
【図１】本実施の形態１に係るチップカートリッジの斜視図である。
【図２】本実施の形態１に係るチップカートリッジに固定されたチップ上の試料を分析する分析装置の斜視図である。
【図３】本実施の形態１に係るチップカートリッジに固定されたチップ上の試料を分析する分析装置の斜視図である。
【図４】本実施の形態１に係るチップカートリッジの断面図である。
【図５】本実施の形態１に係るチップカートリッジとチップの断面図である。
【図６】本実施の形態１に係るチップカートリッジとチップの断面図である。
【図７】本実施の形態２に係るチップカートリッジの斜視図である。
【図８】本実施の形態２に係るチップカートリッジに固定されるチップの断面図である。
【図９】本実施の形態２に係るチップカートリッジとチップの断面図である。
【図１０】本実施の形態２に係るチップカートリッジとチップの断面図である。
【符号の説明】
【００５１】
１０、７０  チップカートリッジ
１１、７１  基部
１２、７２  凹部
１３、７３  孔
１４、７４  スライド部
１５、７５  支持部
１６、７６  反射板
２０  分析装置
２１  温度調整部
２２  分析部
２３  トレイ
２４  通信部
２５  電源スイッチ
２６  回転部
２７  制御部
２８  電源部
５１、８１  チップ
８２  電極膜
９１  中継端子
１０１  接続端子
Ｐ  チップカートリッジの中心
【図１】
2008209185.tif 000003
【図２】
2008209185.tif 000004
【図３】
2008209185.tif 000005
【図４】
2008209185.tif 000006
【図５】
2008209185.tif 000007
【図６】
2008209185.tif 000008
【図７】
2008209185.tif 000009
【図８】
2008209185.tif 000010
【図９】
2008209185.tif 000011
【図１０】
2008209185.tif 000012